(57)【特許請求の範囲】
【請求項１】
複数の半導体発光素子が実装される発光素子基板と、
前記発光素子基板を含む発光ユニットと、
前記複数の半導体発光素子の電力供給源である電源部と、
被取付面に取付可能であって前記発光ユニットが固定される取付部材を含む器具本体と、
信号を受信するアンテナと、前記アンテナで受信した信号に応じて半導体発光素子へ供給される電力を制御する制御回路と、前記アンテナおよび前記制御回路が実装される制御基板と、前記制御基板を内部に収納する筐体と、前記筐体に設けられる着脱可能部材と、を有する、無線モジュールと、を備え、
前記着脱可能部材が前記取付部材と引き合う磁性体を有し、
前記無線モジュールは、前記着脱可能部材により前記取付部材の２以上の位置に着脱自在に取り付け可能である照明装置。
【請求項２】
複数の半導体発光素子が実装される発光素子基板と、
前記複数の半導体発光素子の電力供給源である電源部と、
前記発光素子基板と前記電源部とを発光素子支持部材に備える発光ユニットと、
被取付面に取付可能であって前記発光ユニットが固定される器具本体と、
信号を受信するアンテナと、前記アンテナで受信した信号に応じて半導体発光素子へ供給される電力を制御する制御回路と、前記アンテナおよび前記制御回路が実装される制御基板と、前記制御基板を内部に収納する筐体と、前記筐体に設けられる着脱可能部材と、を有する、無線モジュールと、を備え、
前記着脱可能部材が前記発光素子支持部材と引き合う磁性体を有し、
前記無線モジュールは、前記着脱可能部材により前記発光素子支持部材の２以上の位置に着脱自在に取り付け可能である照明装置。
【請求項３】
前記アンテナは、前記筐体の各面から所定距離以上離間する請求項１又は２に記載の照明装置。
【請求項４】
前記筐体は、筐体本体と、蓋とを有し、前記筐体本体と蓋が嵌め込み構造で固定される請求項１〜３のいずれか１項に記載の照明装置。
【請求項５】
前記筐体は、前記制御基板を位置決めする位置決め部を有する請求項１から４のいずれか１項に記載の照明装置。
【発明の詳細な説明】
【技術分野】
【０００１】
本発明は、照明装置に関する。
【背景技術】
【０００２】
従来、蛍光灯等の発光体が器具本体に取り付けられ、器具本体が天井や壁等の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられている。ＬＥＤを発光素子として使用した、天井又は壁取付用の照明装置が多数提案されている。例えば、以下の特許文献１には、発光素子を備える発光ユニットを天井等に取り付けられた器具本体に取り付けて、発光ユニットに対して電力を供給することにより、発光ユニットを発光させる照明装置が示されている。
【０００３】
上記照明装置において、電力供給をＯＮ、ＯＦＦするために、無線式のコントローラが用いられる。そして、このコントローラからの無線信号を受信するための受信装置が照明装置に固定されている。
【先行技術文献】
【特許文献】
【０００４】
【特許文献１】特開２０１３−１７９０１４号公報
【発明の概要】
【発明が解決しようとする課題】
【０００５】
しかしながら、コントローラからの無線信号を受信する受信装置が照明装置の内部に所定位置に組み込まれている構造であるため、照明装置の設置位置、設置角度、他装置からの影響（電波干渉、電波妨害、シールドなど）によっては、コントローラからの無線信号の受信感度が低いことが懸念される。これにより、照明装置の設置領域が限られるおそれがある。
【０００６】
本発明は、上記の事情に鑑みてなされたものであって、アンテナを有する無線モジュールを少なくとも２以上の位置で着脱可能な照明装置の提供を目的とする。
【課題を解決するための手段】
【０００７】
上記課題を解決するために、本発明の照明装置は、
複数の半導体発光素子が実装される発光素子基板と、
前記発光素子基板を含む発光ユニットと、
前記複数の半導体発光素子の電力供給源である電源部と、
被取付面に取付可能であって前記発光ユニットが固定される器具本体と、
信号を受信するアンテナと、前記アンテナで受信した信号に応じて半導体発光素子へ供給される電力を制御する制御回路と、前記アンテナおよび前記制御回路が実装される制御基板と、前記制御基板を内部に収納する筐体と、前記筐体に設けられる着脱可能部材と、を有する、無線モジュールと、を備え、
前記無線モジュールは、着脱自在に取り付け可能であることを特徴とする。
【０００８】
この構成によれば、無線モジュールを少なくとも２以上の位置で照明装置に着脱自在に取り付けることができる。受信感度が悪い場合に、無線モジュールを別の位置へ取り付けることで、受信感度を向上させることができる。
【０００９】
なお、上記本発明の構成は、例えば、ベース照明、グリッド照明、直管、ダウンライト、スポットライト、高天井照明、ＨＩＤ、防犯灯、電球、シーリングライト、センサーライト、棚下灯、シーンライト、演出照明、間接照明などの照明装置全般に適用可能である。
【００１０】
上記発明の一実施形態として、前記着脱可能部材が磁性体を有する。
【００１１】
この構成によれば、無線モジュールを照明装置の金属部位と着脱を簡単に行える。
【００１２】
上記発明の一実施形態として、前記アンテナは、前記筐体の各面から所定距離以上離間する。
【００１３】
この構成によれば、筐体の各面からアンテナまでの距離を設けることで、アンテナ機能を妨害する部材が筐体外面のどこに存在してあってもアンテナ感度を確保できる。「所定距離」は２ｍｍ以上であり、３ｍｍ以上が好ましく、５ｍｍ以上がより好ましく、１０ｍｍ以上がさらに好ましい。無線モジュールのコンパクト化の観点からは距離は小さい方が好ましいため、アンテナ感度とコンパクト化の両方を満足するように設定することが好ましい。
【００１４】
上記発明の一実施形態として、前記筐体は、筐体本体と、蓋とを有し、筐体本体と蓋が嵌め込み構造で固定される。
【００１５】
この構成によれば、例えば、取り外しできない嵌め込み構造の固定の場合は、閉めた後に蓋を開けることができないので、筐体内部からアンテナや制御基板を取り外しできないように構成できる。一方取り外しできる嵌め込み構造の固定の場合は、蓋を開けて制御基板を交換することができる。
【００１６】
上記発明の一実施形態として、前記筐体は、前記制御基板を位置決めする位置決め部を有する。
【００１７】
この構成によれば、制御基板を筐体内部に組み込む際に、簡単に位置決めでき、組み込み作業を配置を間違うことなく素早く簡単にできる。
【００１８】
上記発明の一実施形態として、前記着脱可能部材は、前記筐体と、例えば、螺合構造、嵌合構造、係合構造で固定される。
【００１９】
上記発明の一実施形態として、前記筐体は、樹脂で構成される。樹脂としては、絶縁性の樹脂であり、例えばＰＰなどの熱可塑性樹脂が挙げられる。
【００２０】
上記発明の一実施形態として、制御基板は、半導体発光素子へ供給される電力の供給源と接続されるコネクタが実装されている。汎用性の高いコネクタを用いることで製造コストを低減できる。
【発明の効果】
【００２１】
本発明によれば、アンテナを有する無線モジュールを少なくとも２以上の位置で着脱可能な照明装置の提供できる。
【図面の簡単な説明】
【００２２】
【図１】本発明の一実施形態に係る照明装置の外観を説明する斜視図である。
【図２】本発明の一実施形態に係る照明装置の外観を説明する正投影図。
【図３】本発明の一実施形態に係る照明装置の発光ユニット側からの外観を説明する斜視図である。
【図４】本発明の一実施形態に係る照明装置の構成を説明する分解斜視図である。
【図５】本発明の一実施形態に係る照明装置の構成を説明する斜視断面図である。
【図６】本発明の一実施形態に係る照明装置の器具本体の外観を説明する斜視図である。
【図７】本発明の一実施形態に係る照明装置に設けられる、発光ユニットの位置を規制する位置規制部材を説明する図である。
【図８】本発明の一実施形態に係る照明装置の発光ユニットの外観を説明する斜視図である。
【図９】本発明の一実施形態に係る照明装置の断面図である。
【図１０】本発明の一実施形態に係る発光ユニットが備える発光素子基板を説明する平面図である。
【図１１】本発明の一実施形態に係る発光ユニットの発光素子支持部材の構成を説明する斜視断面図である。
【図１２】本発明の一実施形態に係る発光ユニットの発光素子支持部材の構成を説明する斜視断面図である。
【図１３】本発明の一実施形態に係る発光ユニットの電源部の構成を説明する分解斜視図である。
【図１４】本発明の一実施形態に係る発光ユニットの反射部材の構成を説明する斜視断面図である。
【図１５】本発明の一実施形態に係る無線モジュールの蓋、制御基板、筐体本体の外観図である。
【図１６】本発明の一実施形態に係る無線モジュールのマグネットを底面に取り付けた状態の図である。
【図１７】本発明の一実施形態に係る無線モジュールの制御基板を筐体本体に取り付けた状態の図である。
【図１８】本発明の一実施形態に係る無線モジュールの制御基板の斜視図である。
【発明を実施するための形態】
【００２３】
以下、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向の一方向をＹ方向、他方向を−Ｙ方向のとする場合がある。
【００２４】
［照明装置の全体構成］
図１は、本発明の一実施形態に係る照明装置１の外観を示す斜視図である。
図２は、照明装置１の外観を示す正投影図であり、図２（Ａ）は照明装置１の上面図、図２（Ｂ）は照明装置１の側面図、図２（Ｃ）は照明装置１の底面図、図２（Ｄ）は照明装置１の正面図、図２（Ｅ）は照明装置１の背面図である。また、図２（Ｂ）は照明装置１の右側面図であり、照明装置１の左側面図は、右側面図と略同様であるため図示を省略する。
図３は、照明装置１の発光ユニット２０側からの外観を示す斜視図である。
図４は、照明装置１の構成を示す分解斜視図であり、図４（Ａ）は、照明装置１の上方向からの分解斜視図であり、図４（Ｂ）は、照明装置１の下方向からの分解斜視図である。
図５は、照明装置１の構成を示す斜視断面図である。
【００２５】
照明装置１は、照明装置用器具本体（以下、器具本体と記載する）１０と、発光ユニット２０とを備える。器具本体１０は、例えば天井又は壁等の被取付面に取り付けられる。発光ユニット２０は、器具本体１０に取り付けられる。
【００２６】
発光ユニット２０は、例えばＬＥＤ等の発光素子２１と発光素子２１を覆う透光性カバー２２とを備える。
【００２７】
器具本体１０は、発光ユニット２０の透光性カバー２２が入り込むように発光ユニット２０が取り付けられる開口が設けられた発光ユニット取付凹部１１１を備える。つまり、発光ユニット２０は、透光性カバー２２の一部が発光ユニット取付凹部１１１に入り込んだ状態で、器具本体１０に取付けられる。なお、透光性カバー２２の一部は、被取付面側に位置する部分である。
【００２８】
器具本体１０の発光ユニット取付凹部１１１は、底面から開口端に向かって広がるように構成されている。換言すると、発光ユニット取付凹部１１１を構成する一対の内壁面は、底面から当該底面と直交する方向に離れるに従って間隔が広くなるように、外広がりに傾斜している。発光ユニット２０は、発光ユニット取付凹部１１１の内壁面に接触している。
【００２９】
［器具本体］
以下、器具本体１０の構成を説明する。
図６は、器具本体１０の外観を示す斜視図であり、図６（Ａ）は、器具本体１０の上方向からの外観を示す斜視図であり、図６（Ｂ）は、器具本体１０の下方向からの外観を示す斜視図である。
図７は、器具本体１０に設けられる、発光ユニット２０の位置を所定位置に規制する位置規制部材を示す図である。
図６（Ａ）及び図６（Ｂ）に示すように、器具本体１０は、取付部材１１と、側板１２（１２ａ及び１２ｂ）と、バネ部１３（１３ａ及び１３ｂ）と、端子台１４と、を備える。なお、取付部材１１には、吊りボルト用孔部１５と電力供給ケーブル用孔部１６とが形成されている。
【００３０】
以下、器具本体１０の各部について詳細に説明する。
取付部材１１は、発光ユニット取付凹部１１１の底面に対応する底板部１１４と、底板部１１４を挟んで形成され、一方向に長く延びる側縁部１１２と、を備える。底板部１１４と側縁部１１２とにより、取付部材１１の長手方向の断面において凹部が形成される。
【００３１】
取付部材１１は、例えば金属板を利用して形成される。つまり、金属板を曲げ加工することにより、発光素子２１と発光素子２１を覆う透光性カバー２２とを含む発光ユニット２０の透光性カバー２２が入り込むように開口が設けられた発光ユニット取付凹部１１１の大部分が形成される。なお、取付部材は、金属板以外に、例えば樹脂材料を利用して、射出成形したり、プレス成形したりして構成してもよい。発光ユニット取付凹部１１１は発光ユニット取付凹部１１１の開口端縁に向かって広がっている。
【００３２】
側縁部１１２は、例えば図６（Ｂ）に示す第１側縁部１１２ａ及び第２側縁部１１２ｂからなる。側縁部１１２は、発光ユニット２０に向かって突出する突形状を有している。なお、第１側縁部１１２ａ及び第２側縁部１１２ｂの少なくとも一方が発光ユニット２０に向かって（すなわち図６中の−Ｚ方向に向かって）突出する突形状を有していればよい。
ここでの突形状は、例えば、底板部１１４の短手方向の各端から外広がり状に延伸し、その後外側へと折り返された「Ｌ」字状をしている。なお、底板部１１４の各端から延伸した部分が上述の内壁に相当し、「Ｌ」字を構成する折り返された部分を折返部分という。
【００３３】
底板部１１４は、天井や壁等の被取付面と対向しており、照明装置１を被取付面に取り付けるための吊りボルト用孔部１５や、電力供給ケーブルを照明装置１内に引き込むための電力供給ケーブル用孔部１６等を備えている。
【００３４】
側板１２は、取付部材１１における長手方向の両端を覆うように取り付けられる。図６（Ｂ）に示すように、第１側板１２ａは、取付部材１１の一端を覆うように取り付けられる。第２側板１２ｂは、取付部材１１の他端を覆うように取り付けられる。第１及び第２側板１２ａ，１２ｂを取付部材１１に取付けることにより、発光ユニット取付凹部１１１や開口が形成される。
つまり、「発光ユニット取付凹部１１１」は、底板部１１４、第１側縁部１１２ａ及び第２側縁部１１２ｂ、並びに第１側板１２ａ及び第２側板１２ｂで囲まれる空間を示す。
【００３５】
また、「開口」は、第１側縁部１１２ａ及び第２側縁部１１２ｂの折返部分（頂部分）、並びに第１側板１２ａ及び第２側板１２ｂにおける被取付面と反対側の端縁部分で囲まれる領域を示す。
【００３６】
図７（Ａ）及び図７（Ｂ）に示すように、器具本体１０は、発光ユニット２０の取り付け位置を規制する位置規制部材１１３を備えていてもよい。位置規制部材１１３は、発光ユニット取付凹部１１１に配置されてもよい。
位置規制部材１１３は、発光ユニット２０が器具本体１０に取り付けられた際に発光ユニット２０と接触する。これにより、発光ユニット２０は、発光ユニット取付凹部１１１内の所定の位置に位置決めされる。
【００３７】
例えば図７（Ａ）に示すように、位置規制部材１１３は、発光ユニット取付凹部１１１を構成する内壁から発光ユニット取付凹部１１１内に突出して設けられていてもよい。このとき、位置規制部材１１３は、発光ユニット取付凹部１１１を構成する内壁に固定された金属材料等からなり、発光ユニット取付凹部１１１とは別部材で形成されている。
【００３８】
また、位置規制部材１１３は、側縁部１１２と一体に形成されるように取付部材１１の金属板を曲げ加工することで、形成されてもよい。具体的には、発光ユニット取付凹部１１１を構成する内壁の一部に切込みを形成し、その切込みが発光ユニット取付凹部１１１内に突出するように金属板を折曲げることにより、例えば断面コ字状又は断面Ｕ字状の突出部である位置規制部材１１３を形成することができる。
【００３９】
また、位置規制部材１１３は、発光ユニット取付凹部１１１を構成する側板１２に別部材として配置されていてもよい。あるいは、例えば図７（Ｂ）に示すように、位置規制部材１１３は、側板１２と一体に形成されてもよい。
このとき、位置規制部材１１３は、側板１２に突出する状態で設けられる。具体的には、器具本体１０に発光ユニット２０を取り付けた際に発光ユニット２０と対向する対向領域（図７（Ｂ）において点線で示す領域）において、側板１２の一部を発光ユニット取付凹部１１１に向かって折り曲げることにより、位置規制部材１１３が形成される。
【００４０】
図６（Ｂ）に示すように、バネ部１３は、例えば取付部材１１の底板部１１４に固定される。バネ部１３は、後述する発光ユニット２０のバネ受部２７と係合することにより、発光ユニット２０を器具本体１０の発光ユニット取付凹部１１１に入り込んだ状態を維持することに利用される。
具体的には、第１バネ部１３ａは発光ユニット２０の第１バネ受部２７ａと係合し、第２バネ部１３ｂは発光ユニット２０の第２バネ受部２７ｂと係合する。すなわち、第１バネ受部２７ａ及び第２バネ受部２７ｂ並びに第１バネ部１３ａ及び第２バネ部１３ｂは、器具本体１０（取付部材１１）に発光ユニット２０を取り付けた状態を維持する取付状態維持部として機能する。
【００４１】
端子台１４には、後述する電力供給ケーブル４０が接続される。具体的には、天井又は壁等の被取付面から導出された電力供給ケーブル４０は、端子台１４を介して、後述する電源部２８に電気的に接続される。端子台１４は、例えばネジ等により取付部材１１に取り付けられる。
【００４２】
吊りボルト用孔部１５は、図４（Ａ）及び図４（Ｂ）に示す吊りボルト３０により天井又は壁等の被取付面に器具本体１０を取り付けるために、吊りボルト３０が挿通するために設けられた孔部である。
【００４３】
電力供給ケーブル用孔部１６は、天井又は壁等の被取付面から導出された電力供給ケーブル４０を器具本体１０の発光ユニット取付凹部１１１内に引き込むために設けられた孔部である。
【００４４】
［発光ユニット］
以下、発光ユニット２０の構成を説明する。
図８は、発光ユニット２０の上方向からの外観を示す斜視図である。
図９は、発光ユニット２０を備える照明装置１の断面図である。
図１０は、発光ユニット２０が備える発光素子基板２３を説明する平面図である。
図１１は、図１０に示すＡ−Ａ’断面の斜視断面図である。
図１２は、図４（Ａ）及び図４（Ｂ）に示す発光素子支持部材２４の基板支持領域２４ａ側の一部を拡大して示す斜視図である。
図１３は、発光ユニット２０の電源部２８の構成を説明する分解斜視図である。なお、理解を容易にするため、発光ユニット２０の他の部分も図示している。
図１４は、発光ユニット２０の反射部材２９の構成を説明する断面斜視図である。
【００４５】
図８並びに図４（Ａ）及び図４（Ｂ）に示すように、発光ユニット２０は、発光素子２１と、透光性カバー２２（２２ａ，２２ｂ及び２２ｃ）とを備える。発光ユニット２０は、発光素子２１及び透光性カバー２２以外に、例えば、発光素子基板２３と、発光素子支持部材２４と、基板固定部材２５（２５ａ〜２５ｎ）と、ネジ２６と、バネ受部２７（２７ａ及び２７ｂ）と、電源部２８と、反射部材２９とを備えてもよい。
なお、図４（Ａ）及び図４（Ｂ）において、基板固定部材２５ａを固定するネジ２６にのみ参照符号を付し、基板固定部材２５ｂから基板固定部材２５ｎを固定するネジについては参照符号を省略している。
【００４６】
以下、発光ユニット２０の各部について詳細に説明する。
透光性カバー２２は、発光素子２１を覆い、発光ユニット２０を器具本体１０に取り付けた際に器具本体１０に入り込む形状を有する。ここでは、透光性カバー２２は、長尺状をし、長手方向の端部を除いて、長手方向と直交する断面において、図９に示すように「Ｕ」字状をしている。また、透光性カバー２２は、発光素子２１から放射された光を拡散する機能を有している。
【００４７】
図４（Ａ）及び図４（Ｂ）に示すように、透光性カバー２２は、発光素子２１を覆う主カバー２２ａと、第１エンドカバー２２ｂ及び第２エンドカバー２２ｃとを備える。第１エンドカバー２２ｂは、主カバー２２ａの一端を覆うように取り付けられる。第２エンドカバー２２ｃも同様に、主カバー２２ａの他端を覆うように取り付けられる。
【００４８】
また、図９に示すように、透光性カバー２２の主カバー２２ａは、発光素子２１から放射される光を透過する光透過部２２１と、器具本体に入り込む入り込み部２２２とを備えている。なお、入り込み部２２２は、第１入り込み部２２２ａ及び第２入り込み部２２２ｂを備えている。
つまり、主カバー２２ａは、長手方向と直交する断面において、取付部材１１の底板部１１４に近い側の端部に、入り込み部２２２を有する。なお、入り込み部２２２の入り込み量は、発光ユニット２０を器具本体１０に装着して際の発光ユニット２０のたわみ量より大きい。
【００４９】
透光性カバー２２の一部である入り込み部２２２が器具本体１０の発光ユニット取付凹部１１１に入り込むことにより、発光ユニット２０がたわんだ場合であっても照明装置の外観不良が生じにくくなる。これは、発光ユニット２０がたわんだ場合に発光ユニット取付凹部１１１に入り込んでいた透光性カバー２２の入り込み部２２２が露出するのみであり、器具本体１０と発光ユニット２０との間に隙間が生じなくなるためである。
【００５０】
主カバー２２ａは、断面形状である「Ｕ」字を構成している開口側の端部が、内側・下方へと折り曲げられている。ここでの下方は、「Ｕ」の開口と反対側の端部が存在する側である。主カバー２２ａは、断面において、折り曲げられている部分を除いて、下方側から折り曲げられた部分に近づくに従って内側へと傾斜する内狭まり状になっている。
【００５１】
また、主カバー２２ａは、長手方向と直交する断面において、開口側の端部から離れた部位に、内方へと突出する突出片を有している。端部と突出片の距離は、図１４に示すように、後述の発光素子支持部材２４の折返部の長さに対応している。これにより、主カバー２２ａの端部の折り曲げ部と突出片との間の部位（嵌合部）が、発光素子支持部材２４の折返部に嵌合して、透光性カバー２２が発光素子支持部材２４に取り付けられる。この取り付けられた状態では、発光素子支持部材２４の折返部と透光性カバー２２の内面とが接触している。
なお、透光性カバー２２の入り込み部２２２は、発光素子支持部材２４の折返部と透光性カバー２２の内面との接触している領域に含まれている。これにより、発光素子２１の発光中に発生した熱は、発光素子基板２３、発光素子支持部材２４、透光性カバー２２を経由して取付部材１１に伝導する。
【００５２】
発光ユニット２０は、内狭まり状の入り込み部２２２が器具本体１０の発光ユニット取付凹部１１１の外拡がり状の内壁面に接触した状態で、器具本体１０に取り付けられる。このとき、入り込み部２２２の一部のみが発光ユニット取付凹部１１１に接触していればよいが、入り込み部２２２の全面が発光ユニット取付凹部１１１に接触していてもよい。
【００５３】
図４（Ａ）及び図４（Ｂ）に示すように、発光素子基板２３は、一方向に長く延びた板状部材であり、一方の面に複数の発光素子２１が実装される。また、図１０に示すように、発光素子基板２３は、基板が複数接続（例えば基板２３ａ及び基板２３ｂが接続）されて構成されていてもよい。
【００５４】
図１０及び図１１に示すように、発光素子基板２３には、発光素子２１に電力を供給するための配線が接続される。この配線２８ｄは、後述する発光素子支持部材２４の基板支持領域２４ａに設けられた貫通孔２４ｃを通って、発光素子基板２３と電源部２８とを接続する。なお、電源部２８の電源回路で変換された電力は、配線２８ｄを介して発光素子２１に供給される。図１０及び図１１に示す配線２３ｃは、発光素子基板２３を複数枚（２枚）の基板で構成した場合の基板２３ａ及び基板２３ｂを電気的に接続するための配線である。
【００５５】
発光素子支持部材２４は、発光素子２１が実装される発光素子基板２３を支持する。なお、発光素子支持部材は、発光素子基板２３を介して発光素子を間接的に搭載してもよいし、発光素子を直接搭載してもよい。発光素子支持部材２４は、発光素子２１の熱を放熱するヒートシンクの機能も有している。
【００５６】
図４（Ａ）及び図４（Ｂ）に示すように、発光素子支持部材２４は、発光素子基板２３を支持する基板支持領域２４ａを備える下面と、電源部２８を固定する上面２４ｂとを有している。基板支持領域２４ａは、発光素子基板２３の幅よりも広く形成されている。
【００５７】
また、発光素子支持部材２４は、発光素子基板２３を支持する基板支持領域２４ａが、器具本体１０方向に凹むように形成されている。つまり、発光素子支持部材２４は、図１４に示すように、基板支持領域２４ａが存在する平板部と、平板部の幅方向の端縁から透光性カバー２２側に立設する立設部と、立設部の立設先端から平板部から離れるに従って幅方向の外方へと外拡がり状に傾斜する傾斜部と、傾斜部の傾斜先端から平板部の幅方向の端に向かって折り返された折返部と、折返部の折り返し先端から内側に折り返されて折返部と当接する当接部とを有している。発光素子支持部材２４は、基板支持領域２４ａにおいて、発光素子基板２３の幅方向の両端部に設けられる基板固定部材２５により発光素子基板２３を固定する。
【００５８】
また、図１０及び図１１に示すように、発光素子支持部材２４は、基板支持領域２４ａに接続する配線２８ｄを通すための貫通孔２４ｃを備える。貫通孔２４ｃは、基板支持領域２４ａのうち、発光素子基板２３が配される領域の外側であって裏面に電源部２８が固定される位置又はその周辺に設けられる。電源部２８と対向する位置（電源部２８が固定される位置）に貫通孔２４ｃを設けることにより、電源部２８から導出した配線２８ｄを、発光素子支持部材２４上の広い領域内で引き回すことなく発光素子基板２３と接続することができる。
このため、配線２８ｄを短くすることができ、発光ユニット２０の組み立て性が向上する。また、発光素子基板２３が透光性カバー２２により覆われ、配線２８ｄが貫通孔２４ｃを通過する。このため、配線２８が外部に露出しなくなり、安全性が向上し、配線の二重被覆が不要となる。
【００５９】
基板固定部材２５は、発光素子支持部材２４の基板支持領域２４ａにおいて、長尺状の発光素子基板２３の両端部を長手方向に沿って複数個所に設けられる。図４（Ａ）及び図４（Ｂ）、並びに図１２に示すように、本実施形態では、基板固定部材２５ａから基板固定部材２５ｎが発光素子基板２３の両端部に複数備えられている。以下、基板固定部材２５ａから基板固定部材２５ｎを基板固定部材２５と記載する。
【００６０】
図１２に示すように、基板固定部材２５は、発光素子基板２３の短手方向を、発光素子基板２３の外側から発光素子基板２３の発光素子実装面上に突出する係止爪を有している。基板固定部材２５における発光素子基板２３側の端面（側面）は、発光素子基板２３の側部と当接する又は近接するように設けられている。基板固定部材２５は、例えばネジ２６によって発光素子支持部材２４に固定される。
このため、発光素子基板２３は、発光素子支持部材２４に対して浮きがないように固定される。
【００６１】
図１３に示すように、バネ受部２７は、器具本体１０のバネ部１３（図７（Ｂ）参照）と係合することにより、発光ユニット２０の一部が発光ユニット取付凹部１１１内に入り込むように、発光ユニット２０を器具本体１０に取り付けた状態を維持することに利用される。具体的には、第１バネ受部２７ａは器具本体１０の第１バネ部１３ａと係合し、第２バネ受部２７ｂは器具本体１０の第２バネ部１３ｂと係合する。
すなわち、バネ部１３（第１バネ部１３ａ及び第２バネ部１３ｂ）とバネ受部２７（第１バネ受部２７ａ及び第２バネ受部２７ｂ）は、取付部材１１に発光ユニット２０を取り付けた状態を維持する取付状態維持部として機能する。
【００６２】
取付状態維持部は、上述のように、バネ受部２７とバネ部１３との係止構造を利用しており、ここでは、バネ部１３が係止部となり、バネ受部２７が被係止部となる。なお、バネ部（係止部）は器具本体１０に存在し、バネ受部（被係止部）は発光ユニット２０に存在するが、バネ部（係止部）が発光ユニットに、バネ受部（被係止部）が器具本体にそれぞれ存在してもよい。
【００６３】
バネ部１３は、発光ユニット２０を器具本体１０に取り付けた際に、透光性カバー２２の入り込み部２２２が器具本体１０の発光ユニット取付凹部１１１を構成する内壁面を押圧する方向の負荷を発生するような、バネ機能を有する。これにより、器具本体１０と発光ユニット２０とが確実に接触し、発光素子２１の発光中に発生する熱を器具本体１０側に伝導させることができる。
なお、取付状態維持部は、発光ユニット２０が器具本体１０に取り付けた状態が維持されれば、本実施形態で説明するバネ部１３及びバネ受部２７と異なる形状であってもよい。
【００６４】
電源部２８は、ＬＥＤ等の発光素子２１の点灯回路（即ち、電源回路）を内部に収納している。電源部２８は、図９に示される器具本体１０が取り付けられる被取付面から発光ユニット取付凹部１１１内に導出される電力供給ケーブル４０と接続される。
【００６５】
図１３に示すように、電源部２８は、電源回路を備える電源基板２８ａと、ヒートシンク２８ｂと、電源基板２８ａ及びヒートシンク２８ｂを内部に収容する電源ボックス２８ｃと、発光素子２１に対して電力を供給するための配線２８ｄ（配線２８ｄは図１３に図示せず）とを有している。
【００６６】
電源基板２８ａに備えられた電源回路は、例えば、電力供給ケーブル４０から供給される交流電力を直流に変換し、その出力（即ち、直流電力）を発光素子２１に配線２８により供給する。電源基板２８ａは、後述する形状のヒートシンク２８ｂの内面であって、発光素子支持部材２４側の面に固定される。
【００６７】
ヒートシンク２８ｂは、アルミニウム又は銅等の材料からなる。図１３に示すように、ヒートシンク２８ｂは、板状部材を複数回折り曲げた多角筒形状（ここでは、４角筒に近い形状）とされているが、ヒートシンク２８ｂの形状はこれに限らない。なお、電源基板２８ａとの接触面積が大きくなるような形状の方が放熱性の観点から好ましい。
【００６８】
電源ボックス２８ｃは、プラスチック、アルミニウム又はステンレス等の材料からなり、その外観形状は一方向に長く延びた箱型形状である。配線２８ｄは、発光素子支持部材２４の基板支持領域２４ａに設けられた貫通孔２４ｃを通って発光素子基板２３に接続される。
【００６９】
電源部２８は、例えば、電源ボックス２８ｃに設けられた図示しない爪部によって発光素子支持部材２４の上面２４ｂに固定されている。また、電源部２８は、ネジ等の締結部材によって発光素子支持部材２４の上面２４ｂに固定されていてもよい。
【００７０】
電源部２８は、被取付面の法線方向に見て、電力供給ケーブル４０と重なっている。すなわち、電力供給ケーブル４０は、図９に示すように、電源部２８の上面と器具本体１０との間に確保された空間に配線される。このため、電力供給ケーブル４０によって発光ユニット２０の取付けが阻害されることがなくなる。
【００７１】
反射部材２９は、発光素子２１から放射された光を反射させる機能を有する。発光素子２１から放射された光は、反射部材２９によって予め設定した方向（例えば、床面に向かう方向）へ反射される。反射部材２９は、発光素子基板２３、発光素子支持部材２４又は基板固定部材２５等の任意の個所で接着剤、ピン、ネジ等によって固定される。
【００７２】
反射部材２９は、透光性カバー２２内の発光素子基板２３の発光素子２１の実装面側に設けられる。そして、反射部材２９は、発光素子基板２３から離れるように傾斜して配置されている。具体的には、反射部材２９は、例えば図１４に示すように、発光素子２１を露出させかつ発光素子基板２３を被覆する第１反射部２９ａを備えている。
【００７３】
また、発光素子基板２３の発光素子２１の実装面側には、図示しない抵抗素子が設けられる場合がある。この場合、第１反射部２９ａには、発光素子２１を露出させる開口とともに、抵抗素子を露出させる開口が設けられる。
【００７４】
また、反射部材２９は、第１反射部２９ａの幅方向の一端部から幅方向に離れるに従って被取付面から離れるように傾斜して配置される第２反射部２９ｂと、第１反射部２９ａの幅方向の他端部から幅方向に離れるに従って被取付面から離れるように傾斜して配置される第３反射部２９ｃとを有している。
【００７５】
反射部材２９は、シート状をし、発光素子２１に対応する部分に開口を有し、発光素子支持部材２４の一対の傾斜部と発光素子基板２３に跨って配されている。
【００７６】
第１反射部２９ａには、例えば発光素子２１を露出させるための前記開口が形成されており、これにより、発光素子２１から放射された光が第１反射部２９ａ、第２反射部２９ｂ及び第３反射部２９ｃの全面で反射され、効率的に照明装置１の発光に利用される。
【００７７】
［無線モジュール］
以下、無線モジュール５０の構成を説明する。
図１５は、無線モジュールの蓋、制御基板、筐体本体の外観図である。
図１６は、無線モジュールのマグネットを底面に取り付けた状態の図である。
図１７は、無線モジュールの制御基板を筐体本体に取り付けた状態の図である。
図１８は、無線モジュールの制御基板の斜視図である
【００７８】
無線モジュール５０は、信号を受信するアンテナ６０と、アンテナ６０で受信した信号に応じて発光素子２１へ供給される電力を制御する制御回路５３と、アンテナ６０および制御回路５３が実装される制御基板５１と、制御基板５１を内部に収納する筐体と、筐体に設けられるマグネット７０とを有する。本実施形態において筐体は、矩形状であって、筐体本体５６と蓋５５を有する。蓋５５は、その長手方向の両壁面下部に一対の爪片５５１（図１５において隠れた位置に他の爪片がある）を有する。また、筐体本体５６は、その長手方向の両壁面５６ｃ、５６ｄのフランジ５６ｅの下段５６ｅ２から立設する一対の爪係合部５６１ａ、５６１ｂを有する。
【００７９】
筐体本体５６は、対向する一対の短壁面５６ａ、５６ｂと、対向する一対の長壁面５６ｃ、５６ｄと、底面５６ｄ、上段５６ｅ１と下段５６ｅ２とで構成されるフランジ５６ｅとを有する。短壁面５６ａ、５６ｂと、長壁面５６ｃ、５６ｄとで囲まれた内部に、制御基板５１に設けられたネジ穴５１１の位置に対応する雌ネジ穴を有する支柱５６２が立設されている。短壁面５６ｂと長壁面５６ｃとが連接されるコーナーに十字支柱５６３が立設されている。十字支柱５６３のクロス中心には、垂直上方に延びる突起部５６３ａが形成されている。短壁面５６ａの内側にリブ５６ａ１、５６ａ２が設けられている。長壁面５６ｄの内側にリブ５６ｄ１が設けられている。また、図１５では隠れているが、短壁面５６ｂ、長壁面５６ｃにもリブが設けられている。支柱５６２、各リブ、十字支柱５６３の高さは同一であり、制御基板５１を下から支える構造になっている。また、蓋５６の内側には、上記十字支柱５６３の位置に対応する位置に、中心に穴を有する支柱（不図示）が立設してある。
【００８０】
この突起部５６３ａは、位置決め部の機能を有しており、制御基板５１の位置決め穴５２２に挿入されて位置が決定される。また、制御基板５１は矩形状であり、筐体本体５１の短壁面と長辺壁とで囲まれた矩形部位および支柱５６２、各リブ、十字支柱５６３も同様に位置決め部の機能を有している。本実施形態では、筐体は樹脂ＰＰなどの絶縁性の樹脂で構成される。
【００８１】
［モジュールの組立］
図１７に示すように、筐体本体５６に制御基板５１を載置する。支柱５６２、各リブ、十字支柱５６３が制御基板５１を下から支える。制御基板５１のネジ穴５１１と支柱５６２が重なり固定ネジ（不図示）で固定する。次いで、蓋５６を筐体本体５５に被せる。一対の爪片５５１を一対の爪係合部５６１ａ、５６１ｂに嵌め込んで係合させる。この際、蓋５６の上記支柱が、制御基板５１面を十字支柱５６３へ押し付けると共に、支柱の中心の穴５１２に上記突起部５６３ａが挿入配置される。制御基板５１は、支柱５６２と十字支柱５６３との２箇所で固定されている。このように、本実施形態は、制御基板５１、筐体本体５６、蓋５５を一体化した無線モジュール５０を構成する。
【００８２】
［着脱可能部材］
図１６に示すように、筐体本体５６の底面５６ｆは、フランジ５６ｅよりも内部方向にへこんだ位置に形成されている。長手方向のフランジ５６ｅから内側の底面５６ｆへ向かって一対のスライド受部５６５ａ、５６５ｂが設けられている。マジネット７０の筐体の長手方向に一対の係合片７１ａ、７１ｂが設けられている。スライド受部５６５ａ、５６５ｂに係合片７１ａ、７１ｂを係合させることで、マグネット７０を筐体本体５６に取り付ける。
【００８３】
マグネット７０の厚みと底面５６ｆのへこみ高さが同じ（あるいは略同じ）である。マグネット７０の外側面とフランジ５６ｅの面が面一になっていることで、照明装置１に取り付けた際に段差が生じないため、取り付け安定性、コンパクト化、意匠性にも優れている。フランジ５６ｅの面よりもマグネット７０の筐体が外部に突出し段差が生じていると、取付対象面とフランジ５６ｅ面の間に埃が入るため好ましくない。あるいは、マグネット７０の筐体よりもフランジ５６ｅの面が外部に突出し段差が生じていると、マグネット７０と取付対象面とが離間しているため、固定強度が弱く好ましくない。従って、マグネット７０の外側面とフランジ５６ｅの面が面一にして段差を無くすように構成することが好ましい。
【００８４】
着脱可能部材をマグネット７０にすることで、無線モジュール５０を照明装置１のマグネット７０と引き合う部材に着脱自在に取り付けできる。例えば、電源ボックス２８ｃ近傍の発光素子支持部材２４の基板支持領域２４ａ側または上面２４ｂ、取付部材１１の第１側縁部１１２ａまたは第２側縁部１１２ｂ、側板１２、底板部１１４の発光ユニット側または被取付面側などに取り付けできる。
【００８５】
なお、別実施形態として、マグネットに代わり、筐体がフックを有する構成であって、照明装置１側にフックを引っ掛ける部材が設けられていてもよい。また、別の着脱可能部材として、螺合手段、締結手段、係合手段、粘着剤が挙げられる。
【００８６】
図１７に示すように、制御基板５１に、アンテナ６０が実装されている。アンテナ６０は、筐体本体５６の短壁面、長壁面、底面、蓋５５のいずれの面からも所定距離（例えば５ｍｍ、１０ｍｍなど）以上離れた構成である。無線モジュール５０のコンパクト化とアンテナ感度との両方を満足するように構成されている。また、このような構成により、アンテナから送受信される信号に対する他の部品等からの雑音の影響を低減することができる。
【００８７】
図１８に示すように、制御基板５１は、電源部２８へ延びる差込コード８０と接続される７ピンのコネクタ６５が実装されている。
【００８８】
［アンテナおよび制御回路］
制御回路５３は、外部装置からアンテナ６０を通じて受信した信号に応じて、複数の発光素子２１へ供給される電力を制御するための指令を電源部２８（例えば、点灯回路）へ行う。電源部２８は、この指令に応じた電力を複数の発光素子２１へ供給する。外部装置からの信号としては、例えば、電力供給の開始または停止、調光、調色に関する指令などが挙げられる。制御回路５３は、アンテナ６０で受信した、電力供給の開始または停止、調光、調色に関する指令に応じて、電源部２８（点灯回路、調光回路、調色回路）を制御し、発光素子２１へ供給する電力を調整する。また、制御回路５３は、複数の発光素子２１に関する情報をアンテナ６０を通じて外部装置に発信することができる。発光素子２１に関する情報としては、例えば、調光、調色、消費電力などが挙げられる。外部装置として、例えば、リモコン、携帯端末（スマートフォン、タブレット端末など）、サーバ、汎用パソコンが挙げられる。なお、別実施形態として、制御回路５３が無線制御の機能を有して、アンテナ６０から受信した信号を電源部２８へ送る構成でもよく、係る場合に電源部２８には、点灯制御、調光制御、調色制御を実行する制御部を有していてもよく、点灯回路、調光回路、調色回路が信号に応じた制御を実行できる構成でもよい。
【００８９】
［その他］
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００９０】
１  照明装置
１０  器具本体
１３  バネ部
１１１  取付凹部
２１  発光素子
２２  透光性カバー
２２１  光透過部
２２２  入り込み部
２７  バネ受部
２８  電源部
４０  電力供給ケーブル  
５０  無線モジュール
５１  制御基板
５３  マグネット（着脱可能部材）
５５  蓋
５６  筐体本体
６０  アンテナ
【図１】
0006612085.tif 000002
【図２】
0006612085.tif 000003
【図３】
0006612085.tif 000004
【図４】
0006612085.tif 000005
【図５】
0006612085.tif 000006
【図６】
0006612085.tif 000007
【図７】
0006612085.tif 000008
【図８】
0006612085.tif 000009
【図９】
0006612085.tif 000010
【図１０】
0006612085.tif 000011
【図１１】
0006612085.tif 000012
【図１２】
0006612085.tif 000013
【図１３】
0006612085.tif 000014
【図１４】
0006612085.tif 000015
【図１５】
0006612085.tif 000016
【図１６】
0006612085.tif 000017
【図１７】
0006612085.tif 000018
【図１８】
0006612085.tif 000019